(57)【要約】【課題】自己サイホン作用の発生をより抑制し、封水が下流側に引き込まれることを確実に抑制することができる水洗大便器を提供する。【解決手段】本発明の水洗大便器(1)は、汚物を受けるボウル部(8)と、このボウル部の下部に接続され外部の排水配管(50)の入口に接続される排水口(36)まで延び且つその一部に封水を溜める排水トラップ管路(18)と、を有する。この水洗大便器において、排水トラップ管路(18)は、ボウル部の下部から後方へ向けて上昇する上昇管路(32)と、この上昇管路の下流端から排水口まで下降する下降管路(34)と、を備え、排水トラップ管路の下降管路は、排水口の後方側に底面(44)を備え、且つ、その前方側において、その上端が上昇管路の頂部(32a)底面と一体的に形成され且つその上端から下端に向けて下方に向けて前方へ傾斜する傾斜面(46)が形成されている。【選択図】図２
2020033863.tif 000002
【特許請求の範囲】
【請求項１】
汚物を受けるボウル部と、このボウル部の下部に接続され外部の排水配管の入口に接続される排水口まで延び且つその一部に封水を溜める排水流路と、を有する水洗大便器において、
上記排水流路は、上記ボウル部の下部から後方へ向けて上昇する上昇流路と、この上昇流路の下流端から上記排水口まで下降する下降流路と、を備え、
上記排水流路の下降流路は、上記排水口の後方側に底面を備え、且つ、その前方側において、その上端が上記上昇流路の頂部底面と一体的に形成され且つその上端から下端にかけて下方に向けて前方へ傾斜する傾斜面が形成されている、水洗大便器。
【請求項２】
上記排水流路の上昇流路の頂部底面から上記下降流路の傾斜面の少なくとも上流側にかけて凹部が形成されている請求項１に記載の水洗大便器。
【請求項３】
上記排水流路は左右側面を備え、これらの左右側面は、ぞれぞれ、上記上昇流路の頂部底面の左右側部から上記下降流路の左右側部まで上下方向にほぼ垂直に延びるように形成されている、請求項１又は請求項２に記載の水洗大便器。
【請求項４】
上記下降流路の傾斜面は、上流側傾斜面と下流側傾斜面とを備え、下流側傾斜面と左右側面をつなぐ面の曲率半径が上流側傾斜面と左右側面をつなぐ面の曲率半径よりも大きい、請求項１乃至３の何れか１項に記載の水洗大便器。
【請求項５】
上記排水流路の上記下降流路の上記傾斜面の下端と上記排水口の前端との間に前方側底面が形成されている、請求項１乃至４の何れか１項に記載の水洗大便器。
【請求項６】
上記下降流路は、さらに、
上記上昇流路の頂部から下方に向けて後方に傾斜する下降底面であって、上記下降流路の上記底面及びその上方領域のうちいずれかの領域に向けて延びる上記下降底面と、
上記下降底面の下端と上記下降流路の上記傾斜面の上記上端とを連結する連結面であって、前後方向の鉛直断面における上記連結面の曲率半径が上記下降底面の曲率半径よりも小さい、上記連結面と、を備える、請求項１乃至５の何れか１項に記載の水洗大便器。
【請求項７】
上記下降流路は、さらに、
上記上昇流路の頂部から下方に向けて後方に傾斜する下降底面であって、上記下降流路の上記底面及びその上方領域のうちいずれかの領域に向けて延びる上記下降底面と、
上記下降底面の下端と上記下降流路の上記傾斜面の上記上端とを連結する連結面であって、前後方向の鉛直断面における上記連結面の曲率半径が上記下降底面の曲率半径よりも小さい、上記連結面と、を備え、
上記下降流路の上記連結面の前端から後端までの前後方向の幅は、上記下降底面の前端から後端までの前後方向の幅よりも小さい、請求項１乃至６の何れか１項に記載の水洗大便器。
【請求項８】
上記下降流路は、さらに、
上記上昇流路の頂部から下方に向けて後方に傾斜する下降底面であって、上記下降流路の上記底面及びその上方領域のうちいずれかの領域に向けて延びる上記下降底面と、
上記下降底面の下端と上記下降流路の上記傾斜面の上記上端とを連結する連結面であって、前後方向の鉛直断面における上記連結面の曲率半径が上記下降底面の曲率半径よりも小さい、上記連結面と、を備え、
上記下降流路の上記連結面の後端は、上記排水口の中心軸よりも後方に位置する、請求項１乃至７の何れか１項に記載の水洗大便器。
【請求項９】
上記下降流路は、さらに、
上記上昇流路の頂部から下方に向けて後方に傾斜する下降底面であって、上記下降流路の上記底面及びその上方領域のうちいずれかの領域に向けて延びる上記下降底面を備え、
上記下降流路の上記下降底面と側壁とをつなぐつなぎ面の曲率半径は、上記上昇流路の上昇部分の底面と側壁とをつなぐつなぎ面の曲率半径よりも大きい、請求項１乃至８の何れか１項に記載の水洗大便器。
【請求項１０】
上記排水流路の上記下降流路の上記底面には、上記底面から上記排水口へ向けて流れる排水の水平方向の流れの向きを上記排水口の中心よりも左右の何れか一方の側に向けて流れるようにガイドするガイド部が形成されている、請求項１乃至９の何れか１項に記載の水洗大便器。
【発明の詳細な説明】
【技術分野】
【０００１】
本発明は、水洗大便器に係り、特に、汚物を受けるボウル部と、このボウル部の下部に接続され外部の排水配管の入口に接続される排水口まで延び且つその一部に封水を溜める排水流路と、を有する水洗大便器に関する。
【背景技術】
【０００２】
便器本体から排出された排水が排水口へ一気に流れ込むと、排水トラップ管路内又は排水配管内が一時的に満水状態となり、上流側の水を下流側へ引き込む自己サイホン作用が生じてしまうおそれがある。この自己サイホン作用が生じると、便器本体内の封水が下流側に引き込まれて排出され、封水切れが発生するおそれがある。
【０００３】
このような自己サイホン作用を防止するため、例えば、特許文献１及び特許文献２に記載されたような水洗大便器が提案されている。特許文献１には、便器本体の排出口と床面に配設された排水管とを接続する排水ソケットを備えた水洗大便器が記載されている。この水洗大便器の排水ソケットには、その流入部に分流部が設けられ、流入した排水を分流部に衝突させて上下方向に分流させ、上方に分流した排水を旋回空間において旋回させ、それにより、排水ソケットから排水管へ排出させる排水の最大瞬間流量を低減し、排水管内の自己サイホン作用の発生を抑制するようにしている。
【０００４】
また、特許文献２には、排水トラップ管路を備えた水洗大便器が記載されている。この水洗大便器の排水トラップ管路は下降管路を備え、この下降管路は、流路断面積が順次拡大する拡大部と、この拡大部の下流側に設けられた流路断面が縮小する縮小部と、これらの拡大部と縮小部との間に水受け部を備え、さらに、拡大部と水受け部により窪み部が形成されている。この水洗大便器においては、この窪み部により下降管路を流れる洗浄水の流速を遅滞させ、自己サイホンの発生を抑制するようにしている。
【先行技術文献】
【特許文献】
【０００５】
【特許文献１】特開２０１６−１７６２５５号公報
【特許文献２】特開２０１７−３１７７２号公報
【発明の概要】
【発明が解決しようとする課題】
【０００６】
上述したように、自己サイホン作用の発生を抑制するための種々の構造が提案されているが、これらの構造をより改良した水洗大便器の開発が要望されている。
【０００７】
そこで、本発明は、従来からの要望を満たすためになされたものであり、自己サイホン作用の発生を抑制し、封水が下流側に引き込まれることを確実に抑制することができる水洗大便器を提供することを目的としている。
【課題を解決するための手段】
【０００８】
上記の目的を達成するために、本発明は、汚物を受けるボウル部と、このボウル部の下部に接続され外部の排水配管の入口に接続される排水口まで延び且つその一部に封水を溜める排水流路と、を有する水洗大便器において、排水流路は、ボウル部の下部から後方へ向けて上昇する上昇流路と、この上昇流路の下流端から排水口まで下降する下降流路と、を備え、排水流路の下降流路は、排水口の後方側に底面を備え、且つ、その前方側において、その上端が上昇流路の頂部底面と一体的に形成され且つその上端から下端にかけて下方に向けて前方へ傾斜する傾斜面が形成されている。
このように構成された本発明において、排水流路の上昇流路の頂部底面を流れる排水の一部は、コアンダ効果（噴流が個体壁に沿って曲げられる現象）により下降流路の傾斜面に沿って流れ、排水口の前方側から後方に向って排水口へ流入し、一方、排水の残りは、下降流路の底面に沿って流れ、後方側から前方側に向かって排水口に流入する。この結果、本発明によれば、排水口へ流れ込む排水の流れ方向を少なくとの前方側からと後方側からに分散させることができるため、排水流路内及び排水配管内において自己サイホンが発生することを抑制することができる。従って、本発明によれば、水洗大便器の封水が下流側へ引き込まれてしまうことを抑制することができる。
【０００９】
本発明において、好ましくは、排水流路の上昇流路の頂部底面から下降流路の傾斜面の少なくとも上流側にかけて凹部が形成されている。
このように構成された本発明の水洗大便器において、排水流路の上昇流路の頂部底面から下降流路の傾斜面の少なくとも上流側にかけて凹部が形成されているので、フラットな面の場合に比べて、下降流路の傾斜面において排水と接触する接触面積が大きくなる。その結果、上昇流路の頂部底面から下降流路の傾斜面においてコアンダ効果が起き易くなり、それにより、傾斜面に沿って流れる排水の量が多くなり、排水流路の下降流路において、排水口へ流れ込む排水の流れ方向をより分散させることができる。
【００１０】
本発明において、好ましくは、排水流路は左右側面を備え、これらの左右側面は、ぞれぞれ、上昇流路の頂部底面の左右側部から下降流路の左右側部まで上下方向にほぼ垂直に延びるように形成されている。
このように構成された本発明においては、排水流路の左右側面が、ぞれぞれ、上昇流路の頂部底面の左右側部から下降流路の左右側部まで上下方向にほぼ垂直に延びるように形成されているので、コアンダ効果によって排水流路の左右側面に沿う流れを形成し易くなり、それにより、左右側面を流れる排水の流れる距離と、傾斜面を流れる排水の距離とが異なり、排水口に流れ込むタイミングが異なるので、排水口へ流れ込む排水を時間的に分散させることができる。
【００１１】
本発明において、好ましくは、下降流路の傾斜面は、上流側傾斜面と下流側傾斜面とを備え、下流側傾斜面と左右側面をつなぐ面の曲率半径が上流側傾斜面と左右側面をつなぐ面の曲率半径よりも大きい。
このように構成された本発明においては、下流側傾斜面と左右側面をつなぐ面の曲率半径が上流側傾斜面と左右側面をつなぐ面の曲率半径よりも大きいので、下流側傾斜面において、コアンダ効果が弱まり、下流側傾斜面を沿って流れる排水の一部が左右側面に沿って流下する。したがって、本発明によれば、排水口へ流れ込む排水の流れ方向をより分散させることができる。
【００１２】
本発明において、好ましくは、排水流路の下降流路の傾斜面の下端と排水口の前端との間に前方側底面が形成されている。
このように構成された本発明においては、排水流路の下降流路の傾斜面に沿って下端まで流れた排水が、排水口の前方の前方側底面から後方に向かって排水口へ流れるので、排水が底面から前方に向かって排水口に流れ込む際に生じる排水配管の前端に沿う大量の排水の流れの発生を抑制することができる。これにより、本発明によれば、排水配管内において自己サイホンが発生することを抑制することができる。
【００１３】
本発明において、好ましくは、上記下降流路は、さらに、上記上昇流路の頂部から下方に向けて後方に傾斜する下降底面であって、上記下降流路の上記底面及びその上方領域のうちいずれかの領域に向けて延びる上記下降底面と、上記下降底面の下端と上記下降流路の上記傾斜面の上端とを連結する連結面であって、前後方向の鉛直断面における上記連結面の曲率半径が上記下降底面の曲率半径よりも小さい、上記連結面と、を備える。
このように構成された本発明において、上記下降流路の上記下降底面により洗浄水の流れを上記下降流路の上記底面及びその上方領域のうちいずれかの領域に向けて形成することができる。さらに、下降流路の連結面の曲率半径が下降底面の曲率半径よりも小さいので、下降底面により底面側の領域に向けられた洗浄水の流れを、連結面により連結面から剥離させやすくすることができる。この結果、本発明によれば、下降底面から連結面に沿って流れる洗浄水を底面の上方領域等に向けて剥離させやすくすることができ、連結面から傾斜面に沿って流れる洗浄水が多くなりすぎることにより、排水流路内及び排水配管内において自己サイホンが発生することを抑制することができる。
【００１４】
本発明において、好ましくは、上記下降流路は、さらに、上記上昇流路の頂部から下方に向けて後方に傾斜する下降底面であって、上記下降流路の上記底面及びその上方領域のうちいずれかの領域に向けて延びる上記下降底面と、上記下降底面の下端と上記下降流路の上記傾斜面の上記上端とを連結する連結面であって、前後方向の鉛直断面における上記連結面の曲率半径が上記下降底面の曲率半径よりも小さい、上記連結面と、を備え、上記下降流路の上記連結面の前端から後端までの前後方向の幅は、上記下降底面の前端から後端までの前後方向の幅よりも小さい。
このように構成された本発明によれば、下降流路の上記連結面の前端から後端までの前後方向の幅は、上記下降底面の前端から後端までの前後方向の幅よりも小さいので、洗浄水が連結面に沿いにくく、下降底面から連結面に沿って流れる洗浄水を底面の上方領域等に向けてより剥離させやすくすることができる。よって、連結面から傾斜面に沿って流れる洗浄水が多くなりすぎることにより、排水流路内及び排水配管内において自己サイホンが発生することをより抑制することができる。
【００１５】
本発明において、好ましくは、上記下降流路は、さらに、上記上昇流路の頂部から下方に向けて後方に傾斜する下降底面であって、上記下降流路の上記底面及びその上方領域のうちいずれかの領域に向けて延びる上記下降底面と、上記下降底面の下端と上記下降流路の上記傾斜面の上記上端とを連結する連結面であって、前後方向の鉛直断面における上記連結面の曲率半径が上記下降底面の曲率半径よりも小さい、上記連結面と、を備え、上記下降流路の上記連結面の後端は、上記排水口の中心軸よりも後方に位置する。
このように構成された本発明によれば、下降流路の連結面から剥離した洗浄水が、排水口の後方側の底面に着水しやすくなる。これにより、排水口へ流れ込む洗浄水の流れ方向を少なくとも前方側からと後方側の底面からとにより確実に分散させることができ、排水流路内及び排水配管内において自己サイホンが発生することを抑制することができる。
【００１６】
本発明において、好ましくは、上記下降流路は、さらに、上記上昇流路の頂部から下方に向けて後方に傾斜する下降底面であって、上記下降流路の上記底面及びその上方領域のうちいずれかの領域に向けて延びる上記下降底面を備え、上記下降流路の上記下降底面と側壁とをつなぐつなぎ面の曲率半径は、上記上昇流路の上昇部分の底面と側壁とをつなぐつなぎ面の曲率半径よりも大きい。
このように構成された本発明によれば、上記下降流路の上記下降底面と側壁とをつなぐつなぎ面の曲率半径は、上記上昇流路の上昇部分の底面と側壁とをつなぐつなぎ面の曲率半径よりも大きい。これにより、下降流路の下降底面と側壁との間を流れる洗浄水の水面の下降底面からの高さが、上昇流路の上昇部分の底面と側壁との間を流れる洗浄水の水面の上昇部分の底面からの高さよりも高くなる。また、下降底面上を流れる洗浄水の流速が上昇流路の上昇部分の底面上を流れる洗浄水の流速よりも大きくなる。よって、本発明によれば、下降底面により底面側の領域に向けられた洗浄水の流れを、連結面からより剥離させやすくできる。
【００１７】
本発明において、好ましくは、上記排水流路の上記下降流路の上記底面には、上記底面から上記排水口へ向けて流れる排水の水平方向の流れの向きを上記排水口の中心よりも左右の何れか一方の側に向けて流れるようにガイドするガイド部が形成されている。
このように構成された本発明によれば、排水流路の下降流路の底面には、排水口へ向けて流れる排水の水平方向の流れの向きを上記排水口の中心よりも左右の何れか一方の側に向けて流れるようにガイドするガイド部が形成されているので、このガイド部により排水口に流れ込む排水が排水口の中心から偏心して流入し易くなるため、排水が排水流路（排水トラップ等）及び排水配管の一部をシールして排水流路内および排水配管内において自己サイホンが発生することを抑制することができる。従って、本発明によれば、水洗大便器の封水が下流側へ引き込まれてしまうことをより抑制することができる。
【発明の効果】
【００１８】
本発明の水洗大便器によれば、自己サイホン作用の発生をより抑制し、封水が下流側に引き込まれることを確実に抑制することができる。
【図面の簡単な説明】
【００１９】
【図１】本発明の第１実施形態による水洗大便器の平面図である。
【図２】図１のII−II線に沿って見た水洗大便器の縦断面図である。
【図３】図２のIII-III線に沿って見た断面図である。
【図４】図２のIV-IV線に沿って見た断面図である。
【図５】図２のV-V線に沿って見た断面図である。
【図６】図２のVI-VI線に沿って見た断面図である。
【図７】図２の排水流路を拡大して示す部分拡大縦断面図である。
【図８】図７に示す排水流路の平面図である。
【図９】本発明の第２実施形態による水洗大便器の縦断面図である。
【図１０】図９の排水流路を拡大して示す部分拡大縦断面図である。
【図１１】図９のXI-XI線に沿って見た断面図である。
【図１２】図９のXII-XII線に沿って見た断面図である。
【図１３】図９のXIII-XIII線に沿って見た断面図である。
【図１４】図９のXIV-XIV線に沿って見た断面図である。
【図１５】図９のXV-XV線に沿って見た断面図である。
【図１６】本発明の第２実施形態による水洗大便器の下降管路の底面を示す斜視図である。
【図１７】図１６の下降管路の底面を示す平面図である。
【図１８】本発明の第２実施形態による水洗大便器の下降管路の底面の変形例を示す斜視図である。
【発明を実施するための形態】
【００２０】
先ず、図１及び図２を参照して、本発明の第１実施形態による水洗大便器の基本構造について説明する。
図１及び図２に示すように、本発明の第１実施形態による水洗大便器１は、便器本体２とこの便器本体２に供給される洗浄水を貯水する貯水タンク４を有する。便器本体２は、全体が陶器製である。なお、水洗大便器１は、貯水タンク４の代りに他の給水源（水道等）を使用するものであってもよい。
【００２１】
貯水タンク４は、約３．６リットル〜約４．８リットルの洗浄水を貯水し、下面には、タンク排水口６が形成されている。使用者がスイッチ（図示せず）を操作すると、排水弁（図示せず）が開状態となり、貯水タンク４のタンク排水口６から貯水タンク４内の洗浄水が便器本体２に供給されるようになっている。
【００２２】
便器本体２は、前方側にボウル部８を有し、このボウル部８は、ボウル形状の汚物受け面１０と、この汚物受け面１０の上縁に形成されたリム部１２と、この汚物受け面１０とリム部１２との間に形成された棚部１４とを備えている。リム部１２には、内側に向かってオーバーハングしている内周面１２ａが形成されている。
【００２３】
便器本体２のボウル部８は、さらに、汚物受け面１０の下方に形成された凹部１６を備え、この凹部１６は、ほぼ垂直方向に延び且つ平面視でほぼ三角形形状の縦壁部１６ａにより形成されている。
便器本体２のボウル部８の凹部１６の下方側には、洗浄水と共に汚物を排出するための排水流路である排水トラップ管路１８が形成されている。
【００２４】
本実施形態による水洗大便器１は、ボウル部８内の洗浄水の落差による流水作用により汚物を排出する「洗い落とし式便器」である。
【００２５】
便器本体２の後方側には、前後方向に延びる共通リム導水路２０が後方から前方に延びており、その後方側は、上述した貯水タンク４のタンク排水口６に接続され、貯水タンク４から洗浄水が流入するようになっている。共通リム導水路２０の下流端である前方側は、第１リム導水路２２と第２リム導水路２４とに分岐している。
【００２６】
第１リム導水路２２の下流端には第１リム吐水口２６が形成され、この第１リム導水路２２により、貯水タンク４の洗浄水を共通リム導水路２０を経由して第１リム吐水口２６に導くようになっている。この第１リム吐水口２６は、図２に示すように、便器本体２を前方から見てボウル部８の左側中央部、即ち、凹部１６の側方に配置されている。第１リム吐水口２６から洗浄水がボウル部８の前方側に向けて棚部１４に吐水されるようになっている。
【００２７】
第２リム導水路２４の下流端には第２リム吐水口２８が形成され、この第２リム導水路２４により、貯水タンク４の洗浄水を共通リム導水路２０を経由して第２リム吐水口２８に導くようになっている。この第２リム吐水口２８は、図２に示すように、ボウル部８を前後方向に二等分した場合の後方に設けられ、さらに、便器本体２を前方から見てボウル部８の右側に配置される。また、第２リム吐水口２８からも洗浄水がボウル部８の後方側に向けて棚部１４上に吐水されるようになっている。
【００２８】
ここで、本実施形態による水洗大便器１において、第１リム吐水口２６及び第２リム吐水口２８からボウル部８に洗浄水を吐水するようになっており、ゼット吐水口は設けられておらず、ゼット吐水は行われない。
【００２９】
図２に示すように、排水トラップ管路１８は入口３０を備え、この入口３０がボウル部８及び凹部１６と連通している。排水トラップ管路１８は、入口３０から後方に向けて上昇する上昇管路３２と、この上昇管路３２の下流端（上昇管路３２の頂部３２ａ）から前方に向けて排水口３６まで下降する下降管路３４と、を備えている。この排水トラップ管路１８の最高位置（頂部３２ａ）により、封水面（溜水面）Ｗの位置が決定されるようになっている。
【００３０】
さらに、排水トラップ管路１８は、前方から見て右側壁１８ａ及び左側壁１８ｂが、それぞれ、垂直方向（鉛直方向）に延びて、幅Ｗ１が上下方向において一定である（図３〜図６，図８参照）。
【００３１】
次に、図２乃至図８により、排水トラップ管路１８について詳細に説明する。先ず、図２及び図７に示すように、排水トラップ管路１８の下降管路３４は、前方側に位置する天面４０と、後方側に位置しほぼ垂直方向に延びる背面４２と、この背面４２の下端から前方にある排水口３６まで延びる底面４４を備えている。ここで、下降管路３４は、上述した右側壁１８ａ及び左側壁１８ｂを備え、右側壁１８ａが下降管路３４の右側面、左側壁１８ｂが下降管路３４の左側面を形成している。これらの右側面及び左側面は、垂直方向（鉛直方向）に延び幅Ｗ１が上下方向において一定である。
【００３２】
下降管路３４の天面４０は、先ず、上方側（上流側）に曲率半径Ｒ１の円弧部４５が上昇管路３２の頂部３２ａの底面と一体的に形成されている。ここで、曲率半径Ｒ１は、１０ｍｍ〜５０ｍｍが好ましく、緩やかな円弧形状を形成している。さらに、下降管路３４の天面４０の円弧部４５の下方側（下流側）には傾斜面４６が形成され、この傾斜面４６は、下降管路３４の前方側において、その上端から下端にかけて下方に向けて前方に傾斜する。この下降管路３４の傾斜面４６は、図７に示すように、角度θ１だけ下方に傾斜する上流側傾斜面４６ａと、この上流側傾斜面４６ａよりも傾斜角度が小さい角度θ２（＜θ１）だけ下方に傾斜する下流側傾斜面４６ｂと、を備えている。
【００３３】
次に、図３に示すように、上昇管路３２の頂部３２ａの底面の幅方向中央部には凹部４８が形成されている。図４に示すように、同様に、下降管路３４の傾斜面４６の幅方向中央部にも凹部４８が形成されている。このように、上昇管路３２の頂部３２ａから下降管路３４の傾斜面４６の上流側にかけて連続して凹部４８が形成されている。
【００３４】
次に、図４乃至図６に示すように、下降管路３４の傾斜面４６と左右側壁１８ａ，１８ｂをつなぐ面は、円弧形状で形成されているが、その曲率半径は、上流側に比べて下流側ほど、曲率半径が小さくなるようになっている。具体的には、図４の傾斜面４６と左右側壁１８ａ，１８ｂをつなぐ面は曲率半径Ｒ２により形成され、図５の傾斜面４６と左右側壁１８ａ，１８ｂをつなぐ面は曲率半径Ｒ３で形成され、図６の傾斜面４６と左右側壁１８ａ，１８ｂをつなぐ面は曲率半径Ｒ４で形成されている。また、傾斜面４６と左右側壁１８ａ，１８ｂをつなぐ面は、Ｒ２≦Ｒ３≦Ｒ４の関係を満たすように形成されている。ここで、Ｒ２，Ｒ３，Ｒ４は、この大小関係を満たすことを前提として、それぞれ、１０ｍｍ〜４５ｍｍの範囲が好ましい。
【００３５】
次に、図７及び図８に示すように、下降管路３４の底面４４は、ほぼ平らな面により形成され、下流側（前方側）に排水口３６が形成され、この排水口３６には、外部に配設された排水配管５０の入口が接続されている。
この下降管路３４の排水口３６の前方端と傾斜面４６の下端との間には前方側底面５２が形成されている。図７に示すように、前方側底面５２は、前方から後方に向けて下方に傾斜するように形成されている。
【００３６】
次に、上述した本実施形態による水洗大便器１の動作及び作用効果を説明する。使用者がスイッチを操作することにより、排水弁が開状態となり、貯水タンク４内の洗浄水がタンク排水口６から便器本体２の共通リム導水路２０内に供給される。共通リム導水路２０内に流入した洗浄水は前方側に流れ、第１リム導水路２２と第２リム導水路２４に分かれて流入する。洗浄水は、第１リム導水路２２により第１リム吐水口２６まで導かれ、第１リム吐水口２６から棚部１４上に吐水される。また、洗浄水は、第２リム導水路２４により第２リム吐水口２８まで導かれ、第２リム吐水口２８から棚部１４上に吐水される。
【００３７】
洗浄水は、第１リム吐水口２６から前方に向けて吐水され、一方、第２リム吐水口２８から後方に向けて吐水され、これらの洗浄水は、同一方向（反時計回り）に旋回する旋回流となる。第１リム吐水口２６から吐水された洗浄水により、主に汚物受け面１０の前方側領域が洗浄水され、第２リム吐水口２８から吐水された洗浄水により、主にボウル部８の汚物受け面１０の後方側領域が洗浄されるようになっている。
【００３８】
次に、図７及び図８により、本実施形態による水洗大便器１の排水トラップ管路１８内における排水の流れを説明する。本実施形態による水洗大便器１においては、排水トラップ管路１８の上昇管路３２の頂部３２ａの底面を流れる排水の一部は、コアンダ効果により下降管路３４の円弧部４５及び傾斜面４６に沿って流れ、排水口３６の前方側から後方に向って排水口３６へ流入する（図７及び図８において流れＦ１として示す）。一方、排水の残りは、下降管路３４の底面４４に沿って流れ、後方側から前方側に向かって排水口３６に流入する（図７及び図８において流れＦ２として示す）。この結果、本実施形態による水洗大便器１によれば、排水口３６へ流れ込む排水の流れ方向を少なくとの前方側からと後方側からに分散させることができるため、排水トラップ管路１８内及び排水配管５０内において自己サイホンが発生することを抑制することができる。従って、本実施形態による水洗大便器１によれば、水洗大便器１の封水が下流側へ引き込まれてしまうことを抑制することができる。
【００３９】
次に、図５及び図６に示すように、本実施形態による水洗大便器１において、排水トラップ管路１８の上昇管路３２の頂部３２ａの底面から下降管路３４の円弧部４５及び傾斜面４６の上流側にかけて凹部４８が形成されているので、フラットな面の場合に比べて、下降管路３４の円弧部４５及び傾斜面４６において排水と接触する接触面の面積が大きくなる。その結果、上昇管路３２の頂部３２ａの底面から下降管路３４の円弧部４５及び傾斜面４６においてコアンダ効果が起き易くなり、それにより、排水トラップ管路１８の下降管路３４において、排水口３６へ流れ込む排水の流れ方向をより分散させることができる。
【００４０】
更に、本実施形態による水洗大便器１においては、排水トラップ管路１８の左右側壁１８ａ，１８ｂが、ぞれぞれ、上昇管路３２の頂部３２ａの底面の左右側部から下降管路３４の底面４４の左右側部まで上下方向にほぼ垂直に延びるように形成されているので、コアンダ効果によって排水トラップ管路１８の左右側壁１８ａ，１８ｂに沿う流れを形成し易くなり、それにより、左右側壁１８ａ，１８ｂを流れる排水の流れる距離と、傾斜面４６を流れる排水の流れる距離とが異なり、排水口３６に流れ込むタイミングが異なるので、排水口３６へ流れ込む排水を時間的に分散させることができる。
【００４１】
次に、図４乃至図６に示すように、本実施形態による水洗大便器１においては、下流側傾斜面４６ｂと左右側壁１８ａ，１８ｂをつなぐ面の曲率半径Ｒ３，Ｒ４が上流側傾斜面４６ａと左右側壁１８ａ，１８ｂをつなぐ面の曲率半径Ｒ２よりも大きいので、下流側傾斜面４６ｂにおいて、コアンダ効果が弱まり、下流側傾斜面４６ｂを沿って流れる排水の一部が左右側壁１８ａ，１８ｂに沿って流下する。したがって、本実施形態による水洗大便器１によれば、排水口３６へ流れ込む排水の流れ方向をより分散させることができる。
【００４２】
次に、図７及び図８に示すように、本実施形態による水洗大便器１においては、排水トラップ管路１８の下降管路３４の傾斜面４６に沿って下端まで流れた排水が、排水口３６の前方の前方側底面５２から後方に向かって排水口３６へ流れるので、排水が底面４４から前方に向かって排水口３６に流れ込む際に生じる排水配管５０の前端に沿う大量の排水の流れの発生を抑制することができる。これにより、本実施形態による水洗大便器１によれば、排水配管５０内において自己サイホンが発生することを抑制することができる。
【００４３】
次に、図９及び図１０を参照して、本発明の第２実施形態による水洗大便器の基本構造について説明する。
第２実施形態は、第１実施形態による水洗大便器の下降管路に下降底面、連結面、底面等を加えた例である。図９は本発明の第２実施形態による水洗大便器の縦断面図であり、図１０は図９の排水流路を拡大して示す部分拡大縦断面図である。
第２実施形態による水洗大便器１０１は、上述した第１実施形態による水洗大便器１と構造がほぼ同じであるため、本発明の第２実施形態の第１実施形態とは異なる点のみを説明し、同様な部分については図面に同じ参照符号を付して説明を省略する。
【００４４】
図９に示すように、本発明の第１実施形態による水洗大便器１０１は、便器本体１０２とこの便器本体１０２に供給される洗浄水を貯水する貯水タンク４を有する。便器本体１０２は、全体が陶器製である。なお、水洗大便器１は、貯水タンク４の代りに他の給水源（水道等）を使用するものであってもよい。
【００４５】
便器本体１０２のボウル部８の凹部１６の下方側には、洗浄水と共に汚物を排出するための排水流路である排水トラップ管路１１８が形成されている。
【００４６】
図９に示すように、排水トラップ管路１１８は、入口３０から後方に向けて上昇する上昇流路である上昇管路３２と、この上昇管路３２の下流端（上昇管路３２の頂部３２ａ）から前方に向けて排水口３６まで下降する下降流路である下降管路１３４と、を備えている。
【００４７】
さらに、排水トラップ管路１８は、前方から見て右側壁１８ａ及び左側壁１８ｂが、それぞれ、垂直方向（鉛直方向）に延びて、左右方向の幅Ｗ１が上下方向において一定である（図１７参照）。
【００４８】
次に、図９乃至図１５により、排水トラップ管路１１８について詳細に説明する。図１１は図９のXI-XI線に沿って見た断面図であり、図１２は図９のXII-XII線に沿って見た断面図であり、図１３は図９のXIII-XIII線に沿って見た断面図であり、図１４は図９のXIV-XIV線に沿って見た断面図であり、図１５は図９のXV-XV線に沿って見た断面図である。
【００４９】
排水トラップ管路１１８の下降管路１３４は、前方側に位置する天面４０と、後方側に位置しほぼ垂直方向に延びる背面４２と、この背面４２の下端から前方にある排水口３６まで延びる底面１４４を備えている。右側壁１８ａが下降管路１３４の右側面、左側壁１８ｂが下降管路１３４の左側面を形成している。これらの右側面及び左側面は、垂直方向（鉛直方向）に延び左右方向の幅Ｗ１が上下方向において一定である。
【００５０】
図１０に示すように、下降管路１３４は、さらに、上昇管路３２の頂部３２ａから下方に向けて後方に傾斜する下降底面１３５であって、下降管路１３４の底面１４４及びその上方領域Ｄのうちいずれかの領域に向けて延びる下降底面１３５と、下降底面１３５の下端と下降管路１３４の後述する傾斜面４６の上端とを連結する連結面１３７であって、前後方向の鉛直断面における連結面１３７の曲率半径Ｒ１２が下降底面１３５の曲率半径Ｒ１１よりも小さい、連結面１３７と、を備える。
【００５１】
下降底面１３５は、上昇管路３２の頂部３２ａの底面と一体的に形成されている。下降底面１３５は、排水口３６側から見た下降管路１３４の天面の一部を形成する。下降底面１３５は、底面１４４及び底面１４４の上方領域Ｄのうちいずれかの領域に向けて延びる円弧形状の湾曲面を形成している。下降底面１３５は、便器本体２の前後方向の断面において、前端１３５ａから後端１３５ｂまで比較的大きな曲率半径Ｒ１１の円弧形状を形成している。下降底面１３５は、当該断面視で前端１３５ａから後端１３５ｂまで直線に近い円弧形状を形成している。下降底面１３５は、当該断面視で前端１３５ａから後端１３５ｂまで直線を形成していてもよい。下降底面１３５が前端１３５ａから後端１３５ｂまで直線を形成する場合、下降底面１３５ｄｃの直線の曲率半径はほぼ無限大（非常に大きな曲率半径）とも表現できる。下降底面１３５と連結面１３７との間の接続部分は、下降底面１３５の後端１３５ｂ（連結面１３７の上端（前端）１３７ａ）であり、前後の曲率半径の変化部を形成している。曲率半径Ｒ１１は、図１０に示す縦断面視において、例えば３０ｍｍ〜５０ｍｍの範囲内の値である。なお、下降底面１３５に接続される上昇管路３２の頂部３２ａに至る底面の曲率半径Ｒ１０は、図１０に示す縦断面視において、例えば１０ｍｍ〜４０ｍｍの範囲内の値である。
【００５２】
本実施形態における下降底面１３５は、底面１４４の上方領域Ｄ、別の言い方によれば底面１４４より後方側の領域、さらに別の言い方によれば背面４２に向けて延びている。よって、下降底面１３５の仮想的な接線Ａが規定されるとき、仮想的な接線Ａは底面１４４又は上方領域Ｄ（又は背面４２）と交差する。下降底面１３５は、比較的大きな曲率半径の面により、下降底面１３５上を流れる洗浄水の流れを下降底面１３５に沿った向きに整え且つこの向きに導きやすくできる。
【００５３】
図１３に示すように、下降底面１３５は、便器本体２の左右方向の断面の中央側領域において、左右方向に広がる比較的平坦な平坦部分１３５ｃを形成している。
【００５４】
連結面１３７は、下降底面１３５と一体的に形成されている。連結面１３７は、排水口３６側から見て下降管路１３４の天面の一部を形成する。連結面１３７は、前後方向の鉛直断面における連結面１３７の曲率半径Ｒ１２が下降底面１３５の曲率半径Ｒ１１よりも小さくなるように形成されている。よって、連結面１３７は、底面１４４よりも前方側に向けて延びる円弧形状の湾曲面を形成している。連結面１３７は、便器本体２の前後方向の断面において、上端（前端）１３７ａから下端１３７ｂまで比較的小さな曲率半径の円弧形状を形成している。本実施形態においては連結面１３７は、後方向きから前方向きに折り返すような曲面を形成している。よって、連結面１３７の後端１３７ｃは、この上端（前端）１３７ａと下端１３７ｂとの間に形成されている。下降管路１３４の連結面１３７の後端１３７ｃは、排水口３６の中心軸Ｃ（図９参照）よりも後方に位置する。曲率半径Ｒ１２は、図９に示す縦断面視において、例えば１０ｍｍ〜２５ｍｍの範囲内の値である。
【００５５】
このような連結面１３７に流れ込む洗浄水は、当初下降底面１３５に沿った向きの流れを形成している。これに対し、連結面１３７が比較的小さな曲率半径の曲面を形成するので、洗浄水は、連結面１３７に沿う流れを形成しにくい。よって、洗浄水は、連結面１３７により、連結面１３７から剥離されやすくなっている。
【００５６】
下降管路１３４の連結面１３７の上端（前端）１３７ａから後端１３７ｃまでの前後方向の幅Ｂ２は、下降底面１３５の前端１３５ａから後端１３５ｂまでの前後方向の幅Ｂ１よりも小さい。よって、洗浄水が連結面１３７に沿いにくく、下降底面１３５から連結面１３７に沿って流れる洗浄水を底面１４４側の上方領域に向けてより剥離させやすくすることができる。
【００５７】
図１４に示すように、連結面１３７は、便器本体２の左右方向の断面の中央側領域において、左右方向に広がる比較的平坦な平坦部分１３７ｄを形成している。
【００５８】
図１０に示すように、下降管路１３４は、さらに、連結面１３７の下方側（下流側）に形成された傾斜面４６を備えている。傾斜面４６は、連結面１３７と一体的に形成されている。傾斜面４６は、下降管路１３４の天面の一部を形成する。この傾斜面４６は、下降管路１３４の前方側において、その上端から下端にかけて下方に向けて前方に傾斜する。この下降管路１３４の傾斜面４６は、角度θ１だけ下方に傾斜する上流側傾斜面４６ａと、この上流側傾斜面４６ａよりも傾斜角度が小さい角度θ２（＜θ１）だけ下方に傾斜する下流側傾斜面４６ｂと、を備えている。
【００５９】
次に、図１２に示すように、上昇管路３２の頂部３２ａの底面の幅方向中央部には凹部４８が形成されている。図１３乃至図１５に示すように、同様に、下降管路３４の下降底面１３５、連結面１３７及び傾斜面４６の幅方向中央部にも凹部４８が形成されている。このように、上昇管路３２の頂部３２ａから下降管路１３４の傾斜面４６の上流側傾斜面４６ａにかけて連続して凹部４８が形成されている。
【００６０】
次に、図１１乃至図１５に示すように、上昇管路３２又は下降管路１３４と左右側壁１８ａ，１８ｂをつなぐ面は、主に円弧形状で形成されている。下降管路１３４の下降底面１３５と左右側壁１８ａ，１８ｂとをつなぐ面の曲率半径Ｒ１５は、上昇管路３２の上昇部分底面３２ｂと左右側壁１８ａ，１８ｂとをつなぐ面の曲率半径Ｒ１３（又はＲ１４）よりも大きい。また、曲率半径Ｒ１４は、曲率半径Ｒ１３よりも大きい。さらに、連結面１３７と左右側壁１８ａ，１８ｂをつなぐ面は曲率半径Ｒ１６で形成され、上流側傾斜面４６ａと左右側壁１８ａ，１８ｂをつなぐ面は曲率半径Ｒ１７で形成されている。よって、上昇管路３２又は下降管路１３４と左右側壁１８ａ，１８ｂをつなぐ面は、Ｒ１３＜Ｒ１４＜Ｒ１５の関係を満たすように形成されている。また、下降管路１３４と左右側壁１８ａ，１８ｂをつなぐ面は、Ｒ１７＜Ｒ１６＜Ｒ１５の関係を満たすように形成されている。
【００６１】
さらに、下降管路１３４の傾斜面４６においては、傾斜面４６と左右側壁１８ａ，１８ｂをつなぐ面の曲率半径は、上流側に比べて下流側ほど、曲率半径が小さくなるようになっている。具体的には、傾斜面４６と左右側壁１８ａ，１８ｂをつなぐ面は曲率半径Ｒ２により形成され（図４参照）、傾斜面４６と左右側壁１８ａ，１８ｂをつなぐ面は曲率半径Ｒ３で形成され（図５参照）、傾斜面４６と左右側壁１８ａ，１８ｂをつなぐ面は曲率半径Ｒ４で形成されている（図６参照）。また、傾斜面４６と左右側壁１８ａ，１８ｂをつなぐ面は、Ｒ２≦Ｒ３≦Ｒ４の関係を満たすように形成されている。ここで、Ｒ２，Ｒ３，Ｒ４は、この大小関係を満たすことを前提として、それぞれ、１０ｍｍ〜４５ｍｍの範囲が好ましい。
【００６２】
次に、図９、図１６及び図１７により、排水トラップ管路１８の下降管路１３４の底面について詳細に説明する。図１６は本発明の第２実施形態による水洗大便器の下降管路の底面を示す斜視図であり、図１７は図１６の下降管路の底面を示す平面図である。
図１６及び図１７に示すように、下降管路１３４は、底面１４４を備え、この底面１４４は、排水口３６の後方側（上流側）の領域を形成している。
【００６３】
図１６に示すように、下降管路１３４の底面１４４の後方側（上流側）には、ガイド部４１が設けられている。このガイド部４１は、４つの面である上面４１ａ、傾斜面４１ｂ、傾斜面４１ｃ、傾斜面４１ｄを備えている。これらの４つの面４１ａ，４１ｂ，４１ｃ，４１ｄは、全て表面が平坦な面である。
【００６４】
上面４１ａは、最後方側（最上流側）の右側の最高位置に形成された平坦面であり、前方側（下流側）に向けて少しだけ傾斜している。なお、この上面４１ａは傾斜せず水平な面であってもよい。傾斜面４１ｂは上面４１ａの前方端から前方に向けて下方へ傾斜する矩形の傾斜面である。傾斜面４１ｃは傾斜面４１ｂの左側端から左側及び前方に向けて斜め下方へ傾斜する３角形の傾斜面である。傾斜面４１ｄは上面４１ａの左側端から左側に向けて下方へ傾斜する矩形の傾斜面である。ここで、平坦面である上面４１ａの傾斜角度は、他の傾斜面４１ｂ，４１ｃ，４１ｄの何れの傾斜角度よりも小さい。
なお、変形例として上面４１ａが左側に形成され、傾斜面４１ｃが傾斜面４１ｂの右側端から右側及び前方に向けて斜め下方へ傾斜するように形成され、傾斜面４１ｄが上面４１ａの右側端から右側に向けて下方へ傾斜するように形成されてもよい。このとき、排水口３６内の旋回流は後述するＦ４とは反対向きの旋回流となる。
また、本発明の第２実施形態による下降管路１３４の底面１４４（以下に示す下降管路１３４の底面１４４の変形例についても同様）は、本発明の第１実施形態による下降管路３４の底面４４に代えて、本発明の第１実施形態による下降管路３４に適用できる。
【００６５】
次に、図１８により、上述した本実施形態の水洗大便器の変形例について説明する。図１８は本発明の第２実施形態による水洗大便器の下降管路の底面の変形例を示す斜視図である。図１８に示す変形例においては、下降管路１３４の底面１４４の最後方側（最上流側）に、ガイド部４３が形成され、このガイド部４３は、右側及び前方に向けて斜め下方に傾斜する３角形の平坦な傾斜面４３ａを備えている。
【００６６】
この変形例による水洗大便器においても、上述した水洗大便器１と同様に、下降管路１３４の上流側から流下した排水は、ガイド部４３の傾斜面４３ａに衝突する。傾斜面４３ａに衝突した排水は、この面に沿って左側に向かって流れる。このため、下降管路１３４の底面１４４における排水の水平方向の流れは、排水口３６の中心よりも左側に向いた流れとなり、即ち、左側に偏心した流れとなる。この後、排水は、排水口３６の中心から偏心して排水口３６に流入して、排水口３６内で旋回流（図１７の流れＦ４参照）となる。なお、樹脂製の排水ソケット（図示せず）により下降管路１３４の全部又は一部が形成されていてもよい。
【００６７】
次に、上述した本実施形態による水洗大便器１の動作及び作用効果を説明する。使用者がスイッチ（図示せず）を操作することにより、排水弁が開状態となり、貯水タンク４内の洗浄水がボウル部８に供給され、ボウル部８の汚物受け面１０が洗浄される。
【００６８】
次に、図１０により、本実施形態による水洗大便器１の排水トラップ管路１８内における排水の流れを説明する。本実施形態による水洗大便器１においては、排水トラップ管路１８の上昇管路３２の頂部３２ａの底面を流れる排水は、下降底面１３５上を流れる洗浄水の流れを形成する。下降底面１３５上を流れる洗浄水の流れは、矢印Ｆ２に示すように、下降底面１３５に沿った向きに整えられ且つこの向きに導きやすくされている。
下降底面１３５上から連結面１３７に流れ込む洗浄水の一部は、コアンダ効果により連結面１３７及び傾斜面４６に沿って流れ、排水口３６の前方側から後方に向って排水口３６へ流入する（図１０において流れＦ１として示す）。
【００６９】
これに対し、連結面１３７に流れ込む洗浄水の残りの部分は、連結面１３７が比較的小さな曲率半径の曲面を形成するので、矢印Ｆ３に示すように、連結面１３７から剥離される。より具体的には、連結面１３７に流れ込む洗浄水は、矢印Ｆ２に示すように、洗浄水が下降底面１３５の向き（仮想的な接線Ａの向き）の流れを形成している。これに対し、連結面１３７は、仮想的な接線Ａから離間するように湾曲して形成されている。よって、連結面１３７に流れ込む洗浄水は、連結面１３７から剥離されやすくなっている。
【００７０】
また、連結面１３７の上端（前端）１３７ａから後端１３７ｃまでの前後方向の幅Ｂ２は、下降底面１３５の前端１３５ａから後端１３５ｂまでの前後方向の幅Ｂ１よりも小さいので、洗浄水が連結面１３７に沿いにくく、下降底面１３５から連結面１３７に沿って流れる洗浄水を底面１４４側の領域に向けてより剥離させやすくすることができる。
【００７１】
さらに、下降管路１３４の下降底面１３５と左右側壁１８ａ，１８ｂとをつなぐつなぎ面の曲率半径Ｒ１５は、上昇管路３２の上昇部分の底面３２ｂと左右側壁１８ａ，１８ｂとをつなぐつなぎ面の曲率半径Ｒ１３よりも大きい。これにより、下降管路１３４の下降底面１３５と左右側壁１８ａ，１８ｂとの間を流れる洗浄水の水面の下降底面１３５からの高さが、上昇管路３２の上昇部分の底面３２ｂと左右側壁１８ａ，１８ｂとの間を流れる洗浄水の水面の上昇部分の底面３２ｂからの高さよりも高くなる。また、下降底面１３５上を流れる洗浄水の流速が上昇管路３２の上昇部分の底面を流れる洗浄水の流速よりも大きくなる。よって、本発明によれば、下降底面１３５により底面１４４側の領域に向けられた洗浄水の流れを、連結面１３７からより剥離させやすくできる。
【００７２】
連結面１３７から剥離された洗浄水は、矢印Ｆ３に示すように、洗浄水が下降底面１３５の向きの流れを形成していることから、仮想的な接線Ａに沿って、便器本体２の後方に飛び出すように流れる。洗浄水は、矢印Ｆ４に示すように、主に背面４２（底面１４４の後方）側から下方に流下し、下降管路１３４の底面１４４に沿って流れる。
下降管路１３４の連結面１３７の後端１３７ｃは、排水口３６の中心軸Ｃよりも後方に位置する。下降管路１３４の連結面１３７から剥離した洗浄水が、排水口３６の後方側の底面１４４に着水しやすくなる。これにより、排水口３６へ流れ込む洗浄水の流れ方向を少なくとも前方側からと後方側の底面１４４からとにより確実に分散させることができる。
【００７３】
図１７に示すように、矢印Ｆ４に示すように、下降管路１３４の上流側から流下した排水は、ガイド部４１（図１６参照）の４つの面４１ａ，４１ｂ，４１ｃ，４１ｄと衝突する。上面４１ａに衝突した排水は、乱れた流れとなり、その後、傾斜面４１ｂ、傾斜面４１ｃ、傾斜面４１ｄに沿って流れる。
【００７４】
傾斜面４１ｂに衝突した排水及び上面４１ａから流下した排水は、そのまま、傾斜面４１ｂの表面に沿って前方側に流れる（図１７の流れＦ３参照）。傾斜面４１ｃ及び傾斜面４１ｄに衝突した排水及び上面４１ａから流下した排水は、これらの面に沿って左側に向かって流れる（図１７の流れＦ１，Ｆ２参照）。前方に向かって流れる流れＦ３よりも、左側に向かって流れる流れＦ１，Ｆ２の方が排水の流量が大となっている。そのため、下降管路１３４の底面１４４における排水の水平方向の流れは、排水口３６の中心よりも左側に向いた流れとなり、即ち、排水口３６の中心に向かう流れが左側壁１８ｂの側にそらされ、偏心した流れとなる。この後、排水は、排水口３６の中心から偏心して排水口３６に流入して、排水口３６内で旋回流（図１７の流れＦ４参照）となる。
このように、連結面１３７から剥離された洗浄水は、下降管路１３４の底面１４４に沿って流れ、後方側から前方側に向かって排水口３６に流入する（図１０において流れＦ４として示す）。
【００７５】
この結果、本実施形態による水洗大便器１０１によれば、排水口３６へ流れ込む排水の流れ方向を少なくとの前方側からと後方側からに分散させることができるため、排水トラップ管路１１８内及び排水配管５０内において自己サイホンが発生することを抑制することができる。従って、本実施形態による水洗大便器１０１によれば、水洗大便器１０１の封水が下流側へ引き込まれてしまうことを抑制することができる。
【００７６】
本実施形態による水洗大便器１０１によれば、下降管路１３４の下降底面１３５により洗浄水の流れを下降管路１３４の底面１４４及びその上方領域Ｄのうちいずれかの領域に向けて形成することができる。さらに、下降管路１３４の連結面１３７の曲率半径が下降底面１３５の曲率半径よりも小さいので、下降底面１３５により底面１４４側の領域に向けられた洗浄水の流れを、連結面１３７により連結面１３７から剥離させやすくすることができる。この結果、本発明によれば、下降底面１３５から連結面１３７に沿って流れる洗浄水を底面１４４の上方領域Ｄ等に向けて剥離させやすくすることができ、連結面１３７から傾斜面４６に沿って流れる洗浄水が多くなりすぎることにより、排水流路内及び排水配管内において自己サイホンが発生することを抑制することができる。
【００７７】
本実施形態による水洗大便器１０１によれば、下降管路１３４の連結面１３７の前端１３７ａから後端１３７ｃまでの前後方向の幅Ｂ２は、下降底面１３５の前端１３５ａから後端１３５ｂまでの前後方向の幅Ｂ１よりも小さいので、洗浄水が連結面１３７に沿いにくく、下降底面１３５から連結面１３７に沿って流れる洗浄水を底面１４４の上方領域Ｄ等に向けてより剥離させやすくすることができる。よって、連結面１３７から傾斜面４６に沿って流れる洗浄水が多くなりすぎることにより、排水流路内及び排水配管内において自己サイホンが発生することをより抑制することができる。
【００７８】
本実施形態による水洗大便器１０１によれば、下降管路１３４の連結面１３７から剥離した洗浄水が、排水口３６の後方側の底面１４４に着水しやすくなる。これにより、排水口３６へ流れ込む洗浄水の流れ方向を少なくとも前方側からと後方側の底面１４４からとにより確実に分散させることができ、排水流路内及び排水配管内において自己サイホンが発生することを抑制することができる。
【００７９】
本実施形態による水洗大便器１０１によれば、下降管路１３４の下降底面１３５と側壁とをつなぐつなぎ面の曲率半径Ｒ１５は、上昇管路３２の上昇部分底面３２ｂと側壁とをつなぐつなぎ面の曲率半径Ｒ１３（又はＲ１４）よりも大きい。これにより、下降管路１３４の下降底面１３５と側壁との間を流れる洗浄水の水面の下降底面１３５からの高さが、上昇管路３２の上昇部分底面３２ｂと側壁との間を流れる洗浄水の水面の上昇部分底面３２ｂからの高さよりも高くなる。また、下降底面１３５上を流れる洗浄水の流速が上昇管路３２の上昇部分底面３２ｂ上を流れる洗浄水の流速よりも大きくなる。よって、本発明によれば、下降底面１３５により底面１４４の上方領域Ｄに向けられた洗浄水の流れを、連結面１３７からより剥離させやすくできる。
【００８０】
本実施形態による水洗大便器１０１によれば、排水流路の下降管路１３４の底面１４４には、排水口３６へ向けて流れる排水の水平方向の流れの向きを排水口３６の中心よりも左右の何れか一方の側に向けて流れるようにガイドするガイド部４１が形成されているので、このガイド部４１により排水口３６に流れ込む排水が排水口３６の中心から偏心して流入し易くなるため、排水が排水流路（排水トラップ等）及び排水配管の一部をシールして排水流路内および排水配管内において自己サイホンが発生することを抑制することができる。従って、本発明によれば、水洗大便器１の封水が下流側へ引き込まれてしまうことをより抑制することができる。
【００８１】
変形例として、下降管路１３４は、下降底面１３５及び連結面１３７のうちのいずれかを別の形状の流路に変更し、すなわち下降底面１３５又は連結面１３７のいずれかを採用した状態で形成されてもよい。この場合下降底面１３５又は連結面１３７の形状に対応した程度の洗浄水の流れを生じさせることができる。
【符号の説明】
【００８２】
１        水洗大便器
２        便器本体
４        貯水タンク
８        ボウル部
１６      凹部
３０      入口
３２      上昇管路
３２ａ    頂部
３２ｂ    底面
３４      下降管路
３６      排水口
４１      ガイド部
４３      ガイド部
４４      底面
４６      傾斜面
４６ａ    上流側傾斜面
４６ｂ    下流側傾斜面
４８      凹部
５０      排水配管
５２      前方側底面
１０１    水洗大便器
１１８    排水トラップ管路
１３４    下降管路
１３５    下降底面
１３５ａ  前端
１３５ｂ  後端
１３７    連結面
１３７ｂ  下端
１３７ｃ  後端
１４４    底面
Ｂ１      幅
Ｂ２      幅
Ｃ        中心軸
Ｄ        上方領域
【図１】
2020033863.tif 000003
【図２】
2020033863.tif 000004
【図３】
2020033863.tif 000005
【図４】
2020033863.tif 000006
【図５】
2020033863.tif 000007
【図６】
2020033863.tif 000008
【図７】
2020033863.tif 000009
【図８】
2020033863.tif 000010
【図９】
2020033863.tif 000011
【図１０】
2020033863.tif 000012
【図１１】
2020033863.tif 000013
【図１２】
2020033863.tif 000014
【図１３】
2020033863.tif 000015
【図１４】
2020033863.tif 000016
【図１５】
2020033863.tif 000017
【図１６】
2020033863.tif 000018
【図１７】
2020033863.tif 000019
【図１８】
2020033863.tif 000020